(57)【要約】      （修正有）【課題】取り付けにも取り外しにも便利で放熱スピードが調整可能で放熱効果も良いＬＥＤシーリングライトを提供する。【解決手段】ＬＥＤシーリングライト本体１、本体に設置するボディー２、シェード３、基板４と放熱扇風機５及び放熱装置６が含まれる。ボディー内にアライメント板７が有り、アライメント板には固定リング８が付き、基板に立板が設置される、固定リング内にスライダーが設けられて、立板にスライダーと合わせるブロックが有り、基板にスルーホールが付けられて、スルーホールに設置される放熱装置は、インナーサポート、アウターサポートと放熱板及びアライメント部１６で構成する。ボディー上部と放熱装置が対応する所にアライメントフレーム１７が設けられてある。放熱扇風機がアライメントフレームに付き、アライメント板にはネジ山槽が作られる。シェードにネジ山と合わせる固定板１９が有り、基板下部にＬＥＤライト２１を設置する。【選択図】図１
0003206506.tif 000002
【実用新案登録請求の範囲】
【請求項１】
LEDシーリングライトにおいて、
LEDシーリングライト本体、本体に設置するボディー、シェード、基板と放熱扇風機及び放熱装置が含まれ、前記のボディー内にアライメント板が有り、前記のアライメント板には固定リングが付き、前記の基板に立板が設置され、この固定リング内にスライダーが設けられて、前記の立板にスライダーと合わせるブロックが有り、基板にスルーホールが作られて、スルーホールに設置される放熱装置は、インナーサポート、アウターサポートと放熱板及びアライメント部で構成され、前記の放熱板はインナーサポートとアウターサポートの間に固められ、前記のアライメント部がアウターサポートに設置され、このアライメント部クリップが基板に付く。前記のボディー上部と放熱装置が対応する所にアライメントフレームが設けられてあり、前記の放熱扇風機がアライメントフレームに付き、このアライメント板にはネジ山槽が作られ、前記のシェードにネジ山と合わせる固定板が有り、基板下部に集光板が有り、LEDライトも設置され、前記の基板上部に電子コントロール装置が設定され、この電子コントロール装置が前記の放熱扇風機と電気連結する
ことを特徴とするLEDシーリングライト。
【考案の詳細な説明】
【技術分野】
【０００１】
本実用新型は、放熱スピードが調整可能なLEDシーリングライトに関わる。
【背景技術】
【０００２】
効率でローロス、省エネで環境保護で長寿命などメリットがあるため、 LED ライトがますます世界国々に重視される。LEDシーリングライトは、LEDを光源として、吸着または嵌め込みの形で天井板とか壁に付けれる。現代でよく使われる室内（家庭、オフィス、娯楽場等の所）照明器具である。伝統的な照明器具より、省エネでローカーボンで寿命が長くて調色性が良くて応えスピードが速い等のメリットがある。LEDシーリングライトは、室内照明器具として、照明明るさの需要を達するには、通常、大量のLED珠を特定なレイアウトタイプにて電気回路板に付けて光源になる。でも、LED珠自らの発光角度の制約性でライトが点いた後よく真ん中とか周辺がより暗くなる状況が発生する、ライト全体が発光不均一で日常照明の要求を満足できなくて現有なシーリングライトは取り付けにかなり手数掛けて取り付け丈夫さも人間の要求を満足できないことである。
【０００３】
現有技術のLEDシーリングライトは、通常、構造設計が不合理のため、器具の放熱性能が悪くなったりとか、 LED 光源温度が高過ぎになったりとかことになる。照明効果が理想になれずに照明器具の正常使用寿命にも影響する。
【考案の概要】
【考案が解決しようとする課題】
【０００４】
本実用新型が解決する技術問題は、構造が簡単で使用しやすくて操作に簡単でインストールにもアンインストールにも便利で全体構造強度が高くて丈夫で放熱効果が良くて放熱スピードが調整可能でコストが安くて照射効果が良くて明るさが大きくて適用範囲が広くて使用寿命が長くて安全頼りがある放熱スピードが調整可能なLEDシーリングライトを提供することである。
【課題を解決するための手段】
【０００５】
上記問題を解決するために、本実用新型は、下記技術案を採用する。放熱スピードが調整可能なLEDシーリングライトは、特徴として：LEDシーリングライト本体、本体に設置するボディー、シェード、基板と放熱扇風機及び放熱装置が含まれる。前記のボディー内にアライメント板が有り、前記のアライメント板には固定リングが付き、前記の基板に立板が設置される、この固定リング内にスライダーが設けられて、前記の立板にスライダーと合わせるブロックが有り、基板にスルーホールが作られて、スルーホールに設置される放熱装置は、インナーサポート、アウターサポートと放熱板及びアライメント部で構成する。前記の放熱板はインナーサポートとアウターサポートの間に固められる、前記のアライメント部がアウターサポートに設置され、このアライメント部クリップが基板に付く。前記のボディー上部と放熱装置が対応する所にアライメントフレームが設けられてある。前記の放熱扇風機がアライメントフレームに付き、このアライメント板にはネジ山槽が作られる。前記のシェードにネジ山と合わせる固定板が有り、基板下部に集光板が有り、LEDライトも設置される。前記の基板上部に電子コントロール装置が設定される。この電子コントロール装置が前記の放熱扇風機と電気連結する。
【０００６】
最優秀な技術案として、前記のボディー上部にインストールフレーム四つが設けられて、この四つのインストールフレームが環状で均一的にボディー上部に分布される。このボディーに、LEDシーリングライト本体を固定する取り付けネジが設置されて、この取り付けネジがボディーとインストールフレームを貫通する。前記のアライメントフレーム外側のボディーに空気が流れやすいエアスルーホールが設けられて、このエアスルーホール内部にフィルターが設置される。
【０００７】
最優秀な技術案として、前記のボディー下部にシールが貼られてある。このシールがボディー、アライメント板とシェードと密封し、シールに差し込みが設けられてある、前記のボディーにこの差し込みと合わせる合わせ槽が設置される。
【０００８】
最優秀な技術案として、前記の固定リングに、ブロックがスライダーに入りやすいポートがある、前記の集光板が環状で基板に設置される。
【０００９】
最優秀な技術案として、前記のアライメント板とボディーが一括流し込み成形を採用する。
【００１０】
最優秀な技術案として、前記のインストールフレームがボディーに溶接される。
【考案の効果】
【００１１】
本実用新型の放熱スピード調整可能なLEDシーリングライトは有益効果として：構造が簡単で使用しやすくて操作に簡単でインストールにもアンインストールにも便利で全体構造強度が高くて丈夫で放熱効果が良くて放熱スピードが調整可能でコストが安くて照射効果が良くて明るさが大きくて適用範囲が広くて使用寿命が長くて安全頼りがある作用を持つ。
【図面の簡単な説明】
【００１２】
【図１】本実用新型の放熱スピード調整可能なLEDシーリングライトの構造図である。
【図２】本実用新型の放熱スピード調整可能なLEDシーリングライトの放熱装置構造図である。
【図３】本実用新型の放熱スピード調整可能なLEDシーリングライトの基板構造図である。
【図４】本実用新型の放熱スピード調整可能なLEDシーリングライトの局部拡大図である。
【図５】本実用新型の放熱スピード調整可能なLEDシーリングライトの固定リング構造図である。
【考案を実施するための形態】
【００１３】
図1から図5まで示される放熱スピードが調整可能なLEDシーリングライトを参照して、LEDシーリングライト本体1、とLEDシーリングライト本体1に設置されるボディー2、とLEDシーリングライト本体1に設置されるシェード3、とLEDシーリングライト本体1に設けられてある4、とLEDシーリングライト本体1に付けられる放熱扇風機5、とLEDシーリングライト本体1に設けられてある放熱装置6、前記のボディー2に設置されるアライメント7、アライメント板7に付けられる固定リング8、前記の基板4に設けられてある立板9、固定リング8に付けられるスライダー10、スライダー10と合わせて立板9に設置されるブロック11、基板4にスルーホールの12がある、前記の放熱装置がスルーホール12に設置される、インナーサポート13、アウターサポート14、放熱板15とアライメント部16で放熱装置6を構成する、前記の放熱板15がインナーサポート13とアウターサポート14の間に固定される、アライメント部16がアウターサポート14に設置される、アライメント部16のクリップが基板4に付けられる。ボディー2の上部と放熱装置6が対応するところにアライメントフレーム17がある、前記の放熱扇風機5がアライメントフレーム17に設けられてある、アライメント板7にネジ山槽18が付く、前記のシェード3にネジ山槽18のネジ山と合わせる固定板19が付けられる、前記の基板4下部に集光板20があリ、LEDライト21も設置される、基板4のトップに電子コントロール装置101が設定される、電子コントロール装置101が前記の放熱扇風機5と電気連結する。
【００１４】
本実用新型にあるより良い実施例で、前記のボディー2上部にインストールフレーム22四つが設けられてある、四つのインストールフレーム22が環状で均一的にボディー2上部に分布される、ボディー2にはLEDシーリングライト本体1を固める取り付けネジ23が設置される、この取り付けネジ23がボディー2とインストールフレーム22を貫通する、前記のアライメントフレーム17外側のボディー2には空気が流れやすい上エアスルーホール24がある、エアスルーホール24内にフィルターが設置される。（未表示）。
【００１５】
本実用新型にあるより良い実施例で、上記のボディー2下部にはシール25がある、このシール25がボディー2、アライメント7とシェード3が密封し合い、シール25に差し込み26が付けられる、ボディー2には前記の差し込み26と合わせる合わせ槽27が設置される。
【００１６】
本実用新型にあるより良い実施例で、上記の固定リング8に、ブロック11がスライダー10に入りやすいポート28がある、前記の集光板20が環状で基板4に設置される。
【００１７】
本実用新型にあるより良い実施例で、前記のアライメント板7とボディー2が一括流し込み成形を採用する。
【００１８】
本実用新型にあるより良い実施例で、前記のインストールフレーム22がボディー2に溶接される。
【００１９】
いっそう、前記の基盤下部に集光板が有り、基板に設置される集光板にて本LEDシーリングライトの光りを凝集して乱視現象で照明効果を影響しないようにして本LEDシーリングライトの照射効果を増加することができる。
【００２０】
よりに、前記のボディー下部にシールが貼られる、このシールがボディー、アライメント板とシェードが密封し合い、シールに差し込みが付けられる、ボディーに差し込みと合わせる合わせ槽が設置される、前記のアライメントフレーム外側のボディーに空気が流れやすいエアスルーホールが付く、このエアスルーホール内部にフィルターが設けられてある、設置されるシールにて本シーリングライトのシェードとボディー間の密封効果を強める、付けられるエアスルーホールでシーリングライト内部と外部間の空気交換を増加できる、そして、エアスルーホールに設置されるフィルターが、外部からの雑質がシーリングライト内部に入ってその後期使用を影響することが防止できる。
【００２１】
いっそう、前記の基盤下部に集光板が有り、この集光板が環状で基板に設けられてある、集光板にてシーリングライト使用中の光り散漫で照明効果を影響することを避ける。
【００２２】
本実用新型の放熱スピード調整可能なLEDシーリングライトは下記メリットがある：使用中、放熱装置を基板に設置する、本シーリングライトを使用する時、放熱装置内に設置される放熱板にてLEDライト使用中の外部熱量を少しずつ吸収することができる、放熱板が縦式で設けられて、放熱板の放熱面積を広げる、アライメントフレームに設けられてある放熱扇風機と放熱板の協力で放熱板辺りの熱量を本シーリングライトから吹き出せる。ボディーに設置されるエアスルーホールにて、扇風機が内部のホットエアをシーリングライトから吹き出した後でシーリングライト内部に外部の自然空気を送り込める、本シーリングライトの内部と外部の空気交換を増やす、そしてシーリングライトの放熱効果を強める。付けられるインストールフレームと取り付けネジの噛み合いにてシーリングライトと天井板をきつく固定する。固定リングにスライダーの設置、基板に立板付き、立板にスライダーと合わせるブロックの取り付け等手段にて、基板を取り付ける時、先にブロックをポートに挟み、既存角度を回転してブロックをスライダーに合わせて回転させている内に、ブロックがポートから離れて基板が固定リングに掲げることになる。電子コントロール装置で放熱扇風機の回転スピードを制御する。構造が簡単で使用しやすくて操作に簡単でインストールにもアンインストールにも便利で全体構造強度が高くて丈夫で放熱効果が良くて放熱スピードが調整可能でコストが安くて照射効果が良くて明るさが大きくて適用範囲が広くて使用寿命が長くて安全頼りがある作用を持つ。
【００２３】
上記内容は、本実用新型の具体実施方式のみ、でも本実用新型の保護範囲はこれと限らない。創造性労働せずに考える変化と交換は、本実用新型の保護範囲に含まれる。したがって、本実用新型の保護範囲は、権利要求書が限定する保護範囲に準ずる。    
【図２】
0003206506.tif 000003
【図１】
0003206506.tif 000004
【図３】
0003206506.tif 000005
【図４】
0003206506.tif 000006
【図５】
0003206506.tif 000007
【手続補正書】
【提出日】平成28年7月21日(2016.7.21)
【手続補正１】
【補正対象書類名】実用新案登録請求の範囲
【補正対象項目名】全文
【補正方法】変更
【補正の内容】
【実用新案登録請求の範囲】
【請求項１】
LEDシーリングライトにおいて、
LEDシーリングライト本体、本体に設置するボディー、シェード、基板と放熱扇風機及び放熱装置が含まれ、前記のボディー内にアライメント板が有り、前記のアライメント板には固定リングが付き、前記の基板に立板が設置され、この固定リング内にスライダーが設けられて、前記の立板にスライダーと合わせるブロックが有り、基板にスルーホールが作られて、スルーホールに設置される放熱装置は、インナーサポート、アウターサポートと放熱板及びアライメント部で構成され、前記の放熱板はインナーサポートとアウターサポートの間に固められ、前記のアライメント部がアウターサポートに設置され、このアライメント部クリップが基板に付き、前記のボディー上部と放熱装置が対応する所にアライメントフレームが設けられてあり、前記の放熱扇風機がアライメントフレームに付き、このアライメント板にはネジ山槽が作られ、前記のシェードにネジ山と合わせる固定板が有り、基板下部に集光板が有り、LEDライトも設置され、前記の基板上部に電子コントロール装置が設定され、この電子コントロール装置が前記の放熱扇風機と電気連結する
ことを特徴とするLEDシーリングライト。